【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
プリンタドライバにより生成される印刷ジョブを印刷装置に転送可能な情報処理装置であって、
前記プリンタドライバが生成する印刷ジョブを機密情報が入るＰＤＬデータ部分と付加情報が入る属性部分とに分離し、該分離される前記ＰＤＬデータ部分を第１の公開鍵情報に基づいて暗号化し、さらに、該分離される前記属性部分を第２の公開鍵情報に基づいて暗号化して印刷ジョブを生成する印刷ジョブ暗号化手段を有することを特徴とする情報処理装置。
【請求項２】
プリンタドライバにより生成される印刷ジョブを印刷装置に転送可能な情報処理装置であって、
前記プリンタドライバが生成する印刷ジョブを機密情報が入るＰＤＬデータ部分と付加情報が入る属性部分とに分離し、該分離される前記ＰＤＬデータ部分を第１の公開鍵情報に基づいて暗号化して暗号化済みＰＤＬデータを出力するデータ暗号化手段と、
前記データ暗号化手段により暗号化されたＰＤＬデータと、分離される前記属性部分を含む印刷ジョブを第２の公開鍵情報に基づいて暗号化して印刷ジョブを生成する印刷ジョブ暗号化手段と、
を有することを特徴とする情報処理装置。
【請求項３】
前記印刷装置より通知される第１の公開鍵情報を取得する第１の公開鍵取得手段と、
ユーザが管理する所定のデバイスより第２の公開鍵情報を取得する第２の公開鍵取得手段と、
を有することを特徴とする請求項１または２記載の情報処理装置。
【請求項４】
情報処理装置のプリンタドライバにより生成される印刷ジョブを受信処理可能な印刷装置であって、 
受信する印刷ジョブの個々の属性情報を管理する属性データベース手段と、
前記印刷ジョブの前記ＰＤＬデータ部分を一時的に記憶しておくＰＤＬ記憶手段と、
前記印刷ジョブを受信し、解釈することによってデータの部分がセキュアジョブの属性部分か、ＰＤＬデータ部分かを認識し、属性部分は第１の復号鍵情報に基づいて、復号して取り出された属性部分を前記属性データベース手段に登録し、さらに、前記ＰＤＬデータ部分は暗号化したまま前記ＰＤＬ記憶手段に記憶させる印刷ジョブ解釈手段と、
ユーザ操作によって前記ＰＤＬ記憶手段に記憶された印刷ジョブ中から選択される所望の印刷ジョブの印刷指示を行う印刷指示手段と、
前記印刷指示手段によって印刷指示された印刷ジョブの暗号化されているＰＤＬデータを第２の復号鍵情報に基づいて復号化するＰＤＬデータ復号化手段と、
を有することを特徴とする印刷装置。
【請求項５】
印刷装置が所有する秘密鍵情報と公開鍵情報とを鍵ペア情報として管理する公開鍵管理手段と、
前記公開鍵管理手段によって管理された鍵ペア情報のうち、前記公開鍵情報を前記情報処理装置に通知する公開鍵通知手段と、
所定のデバイスから前記ＰＤＬデータ部分を復号する復号鍵情報を生成する復号鍵生成手段と、
を有することを特徴とする請求項４記載の印刷装置。
【請求項６】
前記印刷ジョブ暗号化手段は、前記属性部分あるいは前記ＰＤＬデータ部分の暗号化の際に、暗号化対象となるデータに対して暗号化の前段で、可逆圧縮方式による圧縮処理を行うことを特徴とする請求項２に記載の情報処理装置。
【請求項７】
前記印刷ジョブ解釈手段は、属性部分の復号化の際に、復号化対象となるデータに対して復号化の後段で、可逆圧縮方式による伸張処理を行うことを特徴とする請求項４または５記載の印刷装置。
【請求項８】
前記ＰＤＬデータ復号化手段は、ＰＤＬデータ部分の復号化の際に、復号化対象となるデータに対して復号化の後段で、可逆圧縮方式による伸張処理を行うことを特徴とする請求項４または５記載の印刷装置。
【請求項９】
前記所定のデバイスは、携帯可能な記憶メディアであって、前記印刷装置が備える所定のインタフェースを介して接続可能であることを特徴とする請求項５記載の印刷装置。
【請求項１０】
前記所定のデバイスは、携帯可能な記憶メディアであって、前記印刷装置が備える所定のインタフェースを介して接続可能であることを特徴とする請求項３に記載の情報処理装置。
【請求項１１】
前記ＰＤＬ記憶手段は、揮発性メモリであること特徴とする請求項４記載の印刷装置。
【請求項１２】
プリンタドライバにより生成される印刷ジョブを印刷装置に転送可能な情報処理装置におけるデータ処理方法であって、
前記プリンタドライバが生成する印刷ジョブを機密情報が入るＰＤＬデータ部分と付加情報が入る属性部分とに分離し、該分離される前記ＰＤＬデータ部分を第１の公開鍵情報に基づいて暗号化し、さらに、該分離される前記属性部分を第２の公開鍵情報に基づいて暗号化して印刷ジョブを生成する印刷ジョブ暗号化ステップを有することを特徴とするデータ処理方法。
【請求項１３】
プリンタドライバにより生成される印刷ジョブを印刷装置に転送可能な情報処理装置におけるデータ処理方法であって、
前記プリンタドライバが生成する印刷ジョブを機密情報が入るＰＤＬデータ部分と付加情報が入る属性部分とに分離し、該分離される前記ＰＤＬデータ部分を第１の公開鍵情報に基づいて暗号化して暗号化済みＰＤＬデータを出力するデータ暗号化ステップと、
前記データ暗号化ステップにより暗号化されたＰＤＬデータと、分離される前記属性部分を含む印刷ジョブを第２の公開鍵情報に基づいて暗号化して印刷ジョブを生成する印刷ジョブ暗号化ステップと、
を有することを特徴とするデータ処理方法。
【請求項１４】
前記印刷装置より通知される第１の公開鍵情報を取得する第１の公開鍵取得ステップと、
ユーザが管理する所定のデバイスより第２の公開鍵情報を取得する第２の公開鍵取得ステップと、
を有することを特徴とする請求項１２または１３記載のデータ処理方法。
【請求項１５】
受信する印刷ジョブの個々の属性情報を管理する属性データベース手段を備え、情報処理装置のプリンタドライバにより生成される印刷ジョブを受信処理可能な印刷装置におけるデータ処理方法であって、
前記印刷ジョブの前記ＰＤＬデータ部分をＰＤＬ記憶手段に一時的に記憶しておくＰＤＬ記憶ステップと、
前記印刷ジョブを受信し、解釈することによってデータの部分がセキュアジョブの属性部分か、ＰＤＬデータ部分かを認識し、属性部分は第１の復号鍵情報に基づいて、復号して取り出された属性部分を前記属性データベース手段に登録し、さらに、前記ＰＤＬデータ部分は暗号化したまま前記ＰＤＬ記憶手段に記憶させる印刷ジョブ解釈ステップと、
ユーザ操作によって前記ＰＤＬ記憶手段に記憶された印刷ジョブ中から選択される所望の印刷ジョブの印刷指示を行う印刷指示ステップと、
前記印刷指示ステップによって印刷指示された印刷ジョブの暗号化されているＰＤＬデータを第２の復号鍵情報に基づいて復号化するＰＤＬデータ復号化ステップと、
を有することを特徴とするデータ処理方法。
【請求項１６】
印刷装置が所有する秘密鍵情報と公開鍵情報とを鍵ペア情報として管理する公開鍵管理ステップと、
前記公開鍵管理ステップによって管理された鍵ペア情報のうち、前記公開鍵情報を前記情報処理装置に通知する公開鍵通知ステップと、
所定のデバイスから前記ＰＤＬデータ部分を復号する復号鍵情報を生成する復号鍵生成ステップと、
を有することを特徴とする請求項１５記載のデータ処理方法。
【請求項１７】
前記印刷ジョブ暗号化ステップは、前記属性部分あるいは前記ＰＤＬデータ部分の暗号化の際に、暗号化対象となるデータに対して暗号化の前段で、可逆圧縮方式による圧縮処理を行うことを特徴とする請求項１３に記載のデータ処理方法。
【請求項１８】
前記印刷ジョブ解釈ステップは、属性部分の復号化の際に、復号化対象となるデータに対して復号化の後段で、可逆圧縮方式による伸張処理を行うことを特徴とする請求項１５記載のデータ処理方法。
【請求項１９】
前記ＰＤＬデータ復号化ステップは、ＰＤＬデータ部分の復号化の際に、復号化対象となるデータに対して復号化の後段で、可逆圧縮方式による伸張処理を行うことを特徴とする請求項１５記載のデータ処理方法。
【請求項２０】
前記所定のデバイスは、携帯可能な記憶メディアであって、前記印刷装置が備える所定のインタフェースを介して接続可能であることを特徴とする請求項１４または１６に記載のデータ処理方法。
【請求項２１】
前記ＰＤＬ記憶手段は、揮発性メモリであること特徴とする請求項１５記載のデータ処理方法。
【請求項２２】
請求項１２〜２１のいずれかに記載のデータ処理方法を実行させるためのプログラムを格納したことを特徴とするコンピュータが読み取り可能な記憶媒体。
【請求項２３】
請求項１２〜２１のいずれかに記載のデータ処理方法を実行させることを特徴とするプログラム。